(57)【要約】【課題】隔壁のチッピングにより、隔壁や蛍光体層の破損片が放電セル内で発生しても、走査電極上の保護層に付着することを抑制し、もって、高品質な画像を表示することが可能なＰＤＰを提供する。【解決手段】前面板と背面板とを、間に放電空間が形成されるように隔壁３１を挟んで対向配置したＰＤＰであって、前面板は、走査電極２３と維持電極２４とにより構成される表示電極２５を備え、背面板は、表示電極２５と交差する方向に設けたアドレス電極３０と、表示電極２５と略平行な横隔壁３１Ｈａ、３１Ｈｂとを有する格子状の隔壁３１を備え、アドレス電極３０と表示電極２５とが交差する部分の放電空間には、格子状の隔壁３１で区画された放電セル３５が形成され、放電セル３５の中心線Ａ−Ａから、走査電極２３までの距離Ｘと、維持電極２４までの距離Ｙとの間には、Ｘ＞Ｙの関係がある。【選択図】図２
2010160998.tif 000002
【特許請求の範囲】
【請求項１】
前面板と背面板とを、間に放電空間が形成されるように隔壁を挟んで対向配置したプラズマディスプレイパネルであって、
前面板は、走査電極と維持電極とにより構成される表示電極を備え、
背面板は、表示電極と交差する方向に設けたアドレス電極と、表示電極と略平行な横隔壁を有する格子状の隔壁を備え、
アドレス電極と表示電極とが交差する部分の放電空間には、格子状の隔壁で区画された放電セルが形成され、
放電セルの中心線から、走査電極までの距離Ｘと、維持電極までの距離Ｙとの間には、
Ｘ＞Ｙの関係があることを特徴とするプラズマディスプレイパネル。
【請求項２】
放電セルの中心線から、走査電極までの距離Ｘと、維持電極までの距離Ｙとの間には、
Ｙ／Ｘの値が０．８以下であるという関係を有することを特徴とする請求項１に記載のプラズマディスプレイパネル。
【発明の詳細な説明】
【技術分野】
【０００１】
本発明は、表示デバイスとして用いられるプラズマディスプレイパネルに関する。
【背景技術】
【０００２】
近年、ハイビジョンをはじめとする高品位で大画面のテレビに対する期待が高まっている中で、ＣＲＴ、液晶ディスプレイ（以下、ＬＣＤと記載する）、プラズマディスプレイパネル（以下、ＰＤＰと記載する）といった各ディスプレイの分野において、これに適したディスプレイの開発が進められている。
【０００３】
従来から広く用いられているＣＲＴは、解像度・画質の点で優れているが、画面の大きさに伴って奥行き及び重量が大きくなる点で４０インチ以上の大画面には不向きである。
【０００４】
また、ＬＣＤは、消費電力が少なく、駆動電圧も低いという優れた性能を有しているが、大画面を作製するのに技術上の困難があり、視野角にも限界がある。
【０００５】
これに対して、ＰＤＰは、小さい奥行きで大画面を実現することが可能であって、既に１０３インチクラスの製品も開発されている。
【０００６】
ＰＤＰは、大別して直流型（ＤＣ型）と交流型（ＡＣ型）とに分けられるが、現在では大型化に適したＡＣ型が主流となっている。
【０００７】
ＡＣ型ＰＤＰの構造は、前面板と背面板とを、その間に放電空間を形成するように対向配置することにより構成されている。
【０００８】
前面板は、前面基板と、前面基板上に形成された、走査電極と維持電極とにより構成される表示電極と、この表示電極を覆う誘電体層と、この誘電体層を覆う保護層と、を有する。
【０００９】
また、背面板は、背面基板と、背面基板上に形成されたデータ電極と、このデータ電極を覆う絶縁体層と、この絶縁体層上に形成された、表示電極と略平行な横隔壁とデータ電極と略平行な縦隔壁とにより構成される井桁状の隔壁と、前記絶縁体層の表面と前記隔壁の側面とに付着するように形成された蛍光体層と、を有する。
【００１０】
そして、隔壁により仕切られた放電空間で放電が発生するように、表示電極とデータ電極とが交差するように前面板と背面板とが対向配置され、表示電極とデータ電極とが交差する箇所が放電セルとなり、放電により発生する波長の短い真空紫外光によって蛍光体層が励起され、赤色、緑色、青色の放電セルからそれぞれ赤色、緑色、青色の可視光が発せられることによりカラー表示が行われる（例えば、特許文献１参照）。
【特許文献１】特開２００３−１３１５８０号公報
【発明の開示】
【発明が解決しようとする課題】
【００１１】
ところで、上述した構造のＰＤＰにおいては、格子状の隔壁を形成する方法として、コーティング法やスクリーン印刷法などにより背面基板全面に隔壁の前駆体材料を塗布し、その上にサンドブラスト耐性のフォトレジストを隔壁パターンに対応して形成し、前記フォトレジストをマスクとして前記厚膜の不要部分を削り取り、その後、焼成工程を経て格子状の隔壁を得るというサンドブラスト法、あるいは背面基板前面に感光性を有する隔壁の前駆体材料ペーストを塗布し、その後、フォトリソグラフィーにより隔壁のパターンに露光・現像を行い、そして焼成工程を経て格子状の隔壁を得るフォトリソグラフィー法、あるいは隔壁パターンを有するマスクを用いてスクリーン印刷により隔壁の前駆体材料を複数回繰り返して印刷し、その後、焼成することで格子状の隔壁を得る、というスクリーン印刷法などがある。
【００１２】
ここで、上述したような、前駆体材料を焼成することで格子状の隔壁を形成する場合、焼成により収縮が発生し、その収縮の割合は格子点が一番大きいという性質を有するため、得られる格子状の隔壁の形状としては、縦隔壁の形状が、放電セルの中央部で最も高さが高くなるという特徴を有する。
【００１３】
このような特徴を有する格子状の隔壁を間に挟んで前面基板と背面基板とを対向配置させると、縦隔壁の最も高さが高い放電セルの中央部で、前面板と隔壁とが接触することとなる。ここで、前面板と隔壁との接触に際しては、隔壁にチッピングが発生してしまう場合があり、上述したような隔壁の形状の特徴から、チッピングの発生箇所は放電セルの略中央部となる確率が非常に高くなる。
【００１４】
ここで、隔壁にチッピングが発生すると、放電セル内に隔壁や蛍光体層の破損片が発生するが、これら破損片が特に走査電極上の保護層に付着してしまうと、書き込み期間での放電が阻害されてしまい、その結果、初期状態で正常に放電しない放電セルが発生し画像品質を低下させてしまうこととなる。
【００１５】
特に、５０インチ以下で横方向のセルピッチが０．５８ｍｍ以下になるフルハイビジョン対応の高精細パネルでは、放電セルのサイズが小さくなるため、この問題が顕著に現れる。
【００１６】
本発明はこのような現状に鑑みなされたもので、隔壁のチッピングにより、隔壁や蛍光体層の破損片が放電セル内で発生しても、走査電極上の保護層に付着することを抑制し、もって、高品質な画像を表示することが可能なＰＤＰを提供することを目的とする。
【課題を解決するための手段】
【００１７】
上記目的を実現するために本発明のＰＤＰは、前面板と背面板とを、間に放電空間が形成されるように隔壁を挟んで対向配置したプラズマディスプレイパネルであって、前面板は、走査電極と維持電極とにより構成される表示電極を備え、背面板は、表示電極と交差する方向に設けたアドレス電極と、表示電極と略平行な横隔壁を有する格子状の隔壁を備え、アドレス電極と表示電極とが交差する部分の放電空間には、格子状の隔壁で区画された放電セルが形成され、放電セルの中心線から、走査電極までの距離Ｘと、維持電極までの距離Ｙとの間には、Ｘ＞Ｙの関係があることを特徴とするものである。
【発明の効果】
【００１８】
本発明によれば、隔壁のチッピングにより、隔壁や蛍光体層の破損片が放電セル内で発生しても、走査電極上の保護層に付着することが抑制され、もって、高品質な画像を表示することが可能なＰＤＰを提供することができる。
【発明を実施するための最良の形態】
【００１９】
以下、本発明の一実施の形態によるＰＤＰについて図を参照しながら説明する。なお、本発明の実施の態様はこれに限定されるものではない。
【００２０】
図１は、本発明の一実施の形態によるＰＤＰの概略構成を示す部分断面斜視図である。
【００２１】
ＰＤＰ２０は、前面板２１と背面板２８とをその間に放電空間３２が形成されるように隔壁３１を挟んで対向して配置され、前面板２１と背面板２８との周縁部において封止フリット（図示せず）により気密に接合（封着）された構成である。
【００２２】
そして、放電空間３２には、放電により紫外線を放射する放電ガスとして、例えば、ネオン（Ｎｅ）８０％とキセノン（Ｘｅ）２０％との混合ガスが、約４００Ｔｏｒｒ（約５３．３ｋＰａ）の圧力で封入されている。
【００２３】
前面板２１は、前面基板２２と、前面基板２２上に設けた、走査電極２３と維持電極２４との対で構成される表示電極２５と、表示電極２５を覆う前面側誘電体層２６と、前面側誘電体層２６を覆う、酸化マグネシウム（ＭｇＯ）などにより構成される保護層２７を有する。
【００２４】
ここで表示電極２５を構成する走査電極２３、維持電極２４それぞれは、例えば、幅広の透明電極２３ｂ、２４ｂと、導電性を高めるために透明電極２３ｂ、２４ｂそれぞれと重なるように形成された、銀（Ａｇ）等により構成される幅狭の金属母線（バス電極）２３ａ、２４ａにより構成される。
【００２５】
他方、背面板２８は、背基基板２９と、背面基板２９上に、表示電極２５と交差する方向に設けたアドレス電極３０と、アドレス電極３０を覆う背面側誘電体層３４と、背面側誘電体層３４上に設けた、格子状の隔壁３１を有する。
【００２６】
ここで隔壁３１は、表示電極２５と略平行な横隔壁３１Ｈとアドレス電極３０と略平行な縦隔壁３１Ｖとにより構成される格子状である。
【００２７】
そして、隔壁３１の側面と背面側誘電体層３４の表面とには、赤色蛍光体層３３Ｒ、緑色蛍光体層３３Ｇ、青色蛍光体層３３Ｂ（以下、まとめて蛍光体層３３ともいう）が形成されている。
【００２８】
蛍光体層３３を構成する蛍光体の材料としては、例えば、赤色蛍光体層３３Ｒには、Ｙ2Ｏ3：Ｅｕおよび／または（Ｙ、Ｇｄ）ＢＯ3：Ｅｕを、緑色蛍光体層３３Ｇには、Ｚｎ2ＳｉＯ4：Ｍｎおよび／または（Ｙ、Ｇｄ）ＢＯ3：Ｔｂを、そして青色蛍光体層３３Ｂには、ＢａＭｇＡｌ10Ｏ17：Ｅｕおよび／またはＢａＳｒＭｇＡｌ10Ｏ17：Ｅｕを用いる。
【００２９】
そして上述した前面板２１と背面板２８とは、表示電極２５とアドレス電極３０とが交差してマトリックスを組むように対向配置される。そして、アドレス電極３０と表示電極２５とが交差する部分の放電空間３２には、隔壁３１で区画された放電セル３５が形成される。
【００３０】
この時、図２に放電セル３５の概略構成を平面図で示すように、横隔壁３１Ｈａと横隔壁３１Ｈｂとの間の中心線Ａ−Ａ、すなわち、放電セル３５の中心線Ａ−Ａから、走査電極２３までの距離Ｘと、維持電極２４までの距離Ｙとの間には、Ｘ＞Ｙの関係が成立するように、隔壁３１と表示電極２５との垂直方向の位置が決められた上で、前面板２１と背面板２８とは対向配置されている。
【００３１】
そして以上のような構成のＰＤＰ２０においては、ガス放電により紫外線を発生させ、この発生した紫外線でＲ、Ｇ、Ｂの各色の蛍光体層３３を励起して発光させることでカラー表示が行われる。
【００３２】
なお、図１においては、ＰＤＰ２０の構成をわかりやすく図示するための便宜上、前面板２１と背面板２８との相対的な位置をずらした状態で示している。
【００３３】
次に、このＰＤＰ２０の駆動方法について説明する。図３は、本発明の一実施の形態によるＰＤＰ２０の電極配列を模式的に示す平面図である。図３に示すように、このＰＤＰ２０の電極配列は、ｎ行×ｍ列の放電セルからなるマトリクス構成であり、行方向にはｎ行の走査電極２３（符号ＳＣＮ１〜ＳＣＮｎで表す）および維持電極２４（符号ＳＵＳ１〜ＳＵＳｎで表す）が配列され、列方向にはｍ列のアドレス電極３０（符号Ｄ１〜Ｄｍで表す）が配列されている。走査電極ＳＣＮ１〜ＳＣＮｎおよび維持電極ＳＵＳ１〜ＳＵＳｎはそれぞれ走査電極駆動装置（図示せず）および維持電極駆動装置（図示せず）により駆動され、データ電極Ｄ１〜Ｄｍはデータ電極駆動装置（図示せず）により駆動される。
【００３４】
次にこのＰＤＰ２０の表示動作について説明する。テレビ映像を表示する場合、ＮＴＳＣ方式において映像は、１秒間に６０枚のフィールドで構成されている。ＰＤＰ２０で画像表示を行う場合、一定の強さをもつ発光パルスの数を例えば１、２、４、８、１６、３２、６４、１２８のようにバイナリで重み付けした８つのサブフィールドによって１フィールドを構成し、その組み合わせによって中間色を表現している。１フィールドを８つのサブフィールドで構成した場合、赤（Ｒ）、緑（Ｇ）、青（Ｂ）の各色はそれぞれ２５６階調を表現することができ、約１６７７万色の表示ができる。
【００３５】
また、更に高画質化するためにサブフィールドの数を増加させ、階調を表示するためのサブフィールドの重み付けの組み合わせを複数用いることによって、動画表示時の視線移動によって発生する擬似輪郭を低減する方法が用いられる。
【００３６】
図４は、ＰＤＰ２０の駆動の際の、１つのサブフィールドにおけるタイミングチャートを示す図であり、サブフィールドは初期化期間、書き込み期間、維持期間および消去期間から構成されている。
【００３７】
初期化期間においては、走査電極ＳＣＮ１〜ＳＣＮｎに初期化パルスを印加し、放電セル３５内の壁電荷を初期化する。
【００３８】
次に書き込み期間においては、１番目の走査電極ＳＣ１に走査パルスを印加するとともに、表示を行う放電セル３５に対応するアドレス電極Ｄ１〜Ｄｍに書き込みパルスを印加して書き込み放電を行い前面側誘電体層２６表面に壁電荷を蓄積する。次に２番目の走査電極ＳＣＮ２に走査パルスを印加するとともに、表示を行う放電セル３５に対応するデータ電極Ｄ１〜Ｄｍに書き込みパルスを印加して書き込み放電を行い前面側誘電体層２６表面に壁電荷を蓄積する。以降同様に走査電極ＳＣＮ３〜ＳＣＮｎを順次走査して、表示を行う放電セル３５の前面側誘電体層２６表面に壁電荷を蓄積することによって１画面分の画像情報を書き込む。
【００３９】
次に維持期間においては、維持放電を行うために、アドレス電極Ｄ１〜Ｄｍを接地し、すべての走査電極ＳＣＮ１〜ＳＣＮｎと維持電極ＳＵＳ１〜ＳＵＳｎとに交互に維持パルスを印加することによって、前面側誘電体層２６表面に壁電荷が蓄積された放電セル３５（画像情報が書き込まれた放電セル３５）では維持放電が発生し、維持パルスが印加される間放電が維持される。
【００４０】
その後の消去期間においては、幅の狭い消去パルスを走査電極ＳＣＮ１〜ＳＣＮｎに印加することによって不完全な放電が発生し壁電荷が消滅するため消去が行われる。
【００４１】
次に、本発明の一実施の形態によるＰＤＰ２０の、点灯不良セル発生に対する抑制効果について説明する。図５は、図２中での、走査電極２３までの距離Ｘと維持電極２４までの距離Ｙとの関係であるＹ／Ｘの値を変化させた際の、初期状態で正常に放電しない放電セル（初期不良放電セル）の数を示す図である。
【００４２】
ここで、ＰＤＰの画素数は、横１９２０個、縦１０８０個のフルハイビジョン対応であり、画素ピッチ：ＰＶ＝０．４８ｍｍ、透明電極２３ｂ、２４ｂの幅：Ｌ＝１０８μｍ、バス電極２３ａ、２４ａの幅：Ｗ＝６０μｍ、走査電極２３と維持電極２４との間の放電ギャップは８０μｍで一定とした。また、隔壁３１は井桁構造を有している。
【００４３】
図５に示すように、Ｙ／Ｘの値が１より小さくなると、すなわち、Ｘ＞Ｙとなると、初期不良放電セルの数が減少し、特に、Ｙ／Ｘが０．８以下になった場合に急激に減少することがわかる。
【００４４】
これは、初期不良放電セルが発生する原因が、隔壁３１にチッピングが発生し、その結果、隔壁３１や蛍光体層３３の破損片が放電セル３５内で発生し、走査電極２３上の保護層２７に付着してしまうことで、書き込み期間での放電が阻害されてしまうことであると考えられるところ、Ｙ／Ｘが１より小さい、すなわち、Ｘ＞Ｙであることから、走査電極２３の位置は縦隔壁３１Ｖがもっとも欠けやすい放電セル３５の中心から遠ざかることとなり、その結果、走査電極２３側に破損片が付着してしまう可能性が大幅に少なくなり、書き込み期間での放電ミスが大幅に少なくなるので、もって、初期不良放電セルの発生が減ったものと考えられる。
【００４５】
なお、以上の説明においては、表示電極２５を構成する走査電極２３および維持電極２４それぞれの構造としては、透明電極２３ｂ、２４ｂとバス電極２３ａ、２４ａとで構成される例を示したが、特にこれに限るものではなく、どちらか単体で構成されたものであってもかまわない。
【００４６】
また、以上の説明においては、表示電極２５と隔壁３１との相対位置の調整によりＸ＞Ｙとする例を示したが、図６に放電セルの概略構成を平面図で示すように、走査電極２３側の電極の形状を凹とし、維持電極２４側の電極の形状を凸とすることで、バス電極２３ａ、２４ａと隔壁３１との相対位置をずらすことなく、走査電極２３の位置を、縦隔壁３１Ｖがもっとも欠けやすい放電セル３５の中心から遠ざけることを可能とすることができる。
【００４７】
以上、本発明の一実施形態によるＰＤＰによれば、隔壁のチッピングにより生じた、破損片（隔壁や蛍光体層の一部）が走査電極上の保護層に付着することによる、放電異常や放電不足による初期不良放電セルの発生を抑制することができ、もって、高品質な画像表示が可能なＰＤＰを提供することができる。
【産業上の利用可能性】
【００４８】
以上のように本発明は、大画面、高精細のＰＤＰを提供する上で有用な発明である。
【図面の簡単な説明】
【００４９】
【図１】本発明の一実施の形態によるＰＤＰ（プラズマディスプレイパネル）の概略構成を示す部分断面斜視図
【図２】本発明の一実施の形態によるＰＤＰにおける放電セルの概略構成を示す平面図
【図３】本発明の一実施の形態によるＰＤＰの電極配列を模式的に示す平面図
【図４】本発明の一実施の形態によるＰＤＰを駆動する際の、サブフィールドにおけるタイミングチャートを示す図
【図５】本発明の一実施の形態によるＰＤＰの、点灯不良セル発生に対する抑制効果を示す図
【図６】本発明の一実施の形態によるＰＤＰにおける放電セルの概略構成を示す平面図
【符号の説明】
【００５０】
２０  プラズマディスプレイパネル（ＰＤＰ）
２１  前面板
２２  前面基板
２３  走査電極
２３ａ  金属電極（バス電極）
２３ｂ  透明電極
２４  維持電極
２４ａ  金属電極（バス電極）
２４ｂ  透明電極
２５  表示電極
２６  前面側誘電体層
２７  保護層
２８  背面板
２９  背面基板
３０  アドレス電極
３１  隔壁
３１Ｈ、３１Ｈａ、３１Ｈｂ  横隔壁
３１Ｖ  縦隔壁
３２  放電空間
３３  蛍光体層
３３Ｒ  赤色蛍光体層
３３Ｇ  緑色蛍光体層
３３Ｂ  青色蛍光体層
３４  背面側誘電体層
３５  放電セル
【図１】
2010160998.tif 000003
【図２】
2010160998.tif 000004
【図３】
2010160998.tif 000005
【図４】
2010160998.tif 000006
【図５】
2010160998.tif 000007
【図６】
2010160998.tif 000008